(57)【特許請求の範囲】
【請求項１】
ドア枠と扉体とからなる開き戸の指詰め防止構造において、
ドア枠の戸尻側縦枠の見込壁は、室内側に位置する第１見込面と、閉鎖時に扉体の戸尻側端面に対向する第２見込面と、を備えており、第１見込面は、閉鎖時に扉体の戸尻側端面が当該第１見込面と第２見込面の間に位置するように第２見込面に対して偏倚して延出しており、第１見込面の先端と扉体の間には指挟み防止用の第１の隙間が形成されており、
第１見込面の先端側部位と第２見込面の室内側部位の間に形成された空間には変形可能な気密部材が設けてあり、
扉体の戸尻側端部の少なくとも高さ方向の所定部位は、高さ方向に延出する凹部と、凹部の底に向かって退避可能に当該凹部に弾性支持された可動カバーと、からなり、
前記可動カバーの見込面が扉体の戸尻側端面を形成することで、前記可動カバーの見込面と前記第２見込面との間に指挟み防止用の第２の隙間が形成されており、
前記凹部の室内側部位を構成する扉体の室内側面部の戸尻側端部は、第１見込面の先端の延長線上まで延出しており、
通常時には可動カバーの室内側見付面は、前記扉体の室内側面部の戸尻側端部から第２見込面に向かって突出しており、閉鎖状態では前記気密部材が前記可動カバーの室内側見付面に接触することで気密を確保しており、
扉体が閉じる過程で指が挟まれた場合には、前記可動カバーが凹部底側に退避可能であり、
扉体の室外側面部の戸尻側端部は、当該扉体の室内側面部の戸尻側端部よりも戸尻側縦枠側に延出しており、可動カバーの室外側見付面は、前記凹部の室外側部位を構成する扉体の室外側面部の戸尻側端部の内側に納まっている、開き戸の指詰め防止構造。
【請求項２】
前記凹部は扉体の全高に亘って延出しており、前記可動カバーの上下に位置して固定カバーが装着されており、固定カバーには扉体を回動させるための丁番が装着される、請求項１に記載の指詰め防止構造。
【発明の詳細な説明】
【技術分野】
【０００１】
本発明は、開き戸の指詰め防止構造に関するものである。
【背景技術】
【０００２】
従来の開き戸では、特に吊元部に対する安全の配慮が乏しく、使用者の不注意とはいえ仮に指を挟んでしまった場合、指を痛めてしまう危険性が潜んでいる。
【０００３】
特許文献１には、２つの取り付けプレートを備えた丁番において、当該プレート間に１０ｍｍ以上の隙間が形成すると共に、縦枠と扉の表面板との間に１０ｍｍ以上の隙間を形成することで指詰め対策を行っている。しかしながら、このものでは、特別な丁番を用意する必要があると共に、扉体の戸尻側部位の納まりも当該丁番の影響を受けることになる。さらに、特許文献１のものでは、扉体を閉じる過程で指が挟まれた場合に、挟まれた指（関節）の向きによっては、指を痛めてしまうおそれがある。
【特許文献１】特開平１０−７２９７２
【発明の開示】
【発明が解決しようとする課題】
【０００４】
本発明は、特別な丁番を用意することなく、仮に指を挟んでしまった場合でも、指を痛めることがないような指詰め防止構造を提供することを目的とする。
【課題を解決するための手段】
【０００５】
本発明が採用した技術手段は、ドア枠と扉体とからなる開き戸の指詰め防止構造において、ドア枠の戸尻側縦枠の見込壁は、室内側に位置する第１見込面と、閉鎖時に扉体の戸尻側端面に対向する第２見込面と、を備えており、第１見込面は、閉鎖時に扉体の戸尻側端面が当該第１見込面と第２見込面の間に位置するように第２見込面に対して偏倚して延出しており、第１見込面の先端と扉体の間には指挟み防止用の第１の隙間が形成されており、第１見込面の先端側部位と第２見込面の室内側部位の間に形成された空間には変形可能な気密部材が設けてあり、扉体の戸尻側端部の少なくとも高さ方向の所定部位は、高さ方向に延出する凹部と、凹部の底に向かって退避可能に当該凹部に弾性支持された可動カバーと、からなり、前記可動カバーの見込面が扉体の戸尻側端面を形成することで、前記可動カバーの見込面と前記第２見込面との間に指挟み防止用の第２の隙間が形成されており、前記凹部の室内側部位を構成する扉体の室内側面部の戸尻側端部は、第１見込面の先端の延長線上まで延出しており、通常時には可動カバーの室内側見付面は、前記扉体の室内側面部の戸尻側端部から第２見込面に向かって突出しており、閉鎖状態では前記気密部材が前記可動カバーの室内側見付面に接触することで気密を確保しており、扉体が閉じる過程で指が挟まれた場合には、可動カバーが凹部底側に退避可能である、開き戸の指詰め防止構造、である。本明細書において、弾性支持とは、力が作用すると弾性的に変位して、力が取り除かれると元の位置に復帰するように支持されることを意味し、より具体的には、可動カバーは、弾性部材（バネ材、ゴム材、スポンジ等）を介して弾性支持される。また、指挟み防止用の第２の隙間は、可動カバーが変位する前の通常時に既に指を痛めない程度の所定寸法を備えているもの、あるいは、通常時には狭く、可動カバーの変位後に指を痛めない程度の所定寸法に拡大するもの、の両方を含む。尚、本発明において、室内側と室外側が逆であってもよく、後述する図面では、上側が室内側、下側が室外側であるが、図面において上側を室内側、下側を室外側としても発明は成立する。
【０００６】
一つの態様では、扉体の室外側面部の戸尻側端部は、当該扉体の室内側面部の戸尻側端部よりも戸尻側縦枠側に延出しており、可動カバーの室外側見付面は、前記凹部の室外側部位を構成する扉体の室外側面部の戸尻側端部の内側に納まっている。
【０００７】
一つの態様では、前記凹部は扉体の全高に亘って延出しており、前記可動カバーの上下に位置して固定カバーが装着されており、固定カバーには扉体を回動させるための丁番が装着される。
【０００８】
一つの態様では、前記凹部は、室内側見付面、室外側見付面、見込面から断面視コ字状のフレームから形成されている。フレームの見込面が凹部の底となっており、前記扉体の室内側面部の戸尻側端部は、フレームの室内側見付面の端部である。一つの態様例では、フレームの室内側見付面は室外側見付面よりも短い寸法となっており、カバーの室内側見付面がフレームの室内側見付面の端部から突出しており、カバーの室外側見付面はフレームの室外側見付面の端部の内側に納まっている。
【発明の効果】
【０００９】
本発明では、第１見込面の先端と扉体の間には指挟み防止用の第１の隙間が形成されており、可動カバーの見込面と第２見込面との間に指挟み防止用の第２の隙間が形成されており、扉体が閉じる過程で指が挟まれた場合には、前記可動カバーが凹部底側に退避可能であるので、扉体が閉じる時に扉体と戸尻側縦枠との間に指を挟んでしまった場合には、指を挟んだ状態で扉体が閉鎖方向に回動しても可動カバーにおいて指が接触する部位が凹部底側に退避して逃げて、挟まれた指にかかる力を緩和し、挟まれた指（関節）の方向に拠らず、指を痛めることがない。前記凹部の室内側部位を構成する扉体の室内側面部の戸尻側端部が、第１見込面の先端の延長線上まで延出しているものでは、閉鎖時に室内側面部の戸尻側端部から突出している可動カバーの室内側見付面の露出を防ぐことができる。また、扉体の室内側面部の戸尻側端部は、第１見込面の先端の延長線上までしか延出していないので、扉体が閉鎖する時に、誤って指が挟まっても、指は退避可能に支持された可動カバーに当たり、扉体の室内側面部の戸尻側端部に当たることがなく、挟まれた指にかかる力を緩和し、指を痛めることがない。また、扉体の室内側面部の戸尻側端部が、第１見込面の先端の延長線上までしか延出していなくても、閉鎖状態では前記突出する可動カバーの室内側見付面に気密部材が接触することで気密を確保することができる。そして、本発明では、上述のように主として扉体の戸尻側端部の構成に特徴を持たせることで指詰め防止構造を提供しているので、指詰め防止構造は丁番の構成に拠ることがなく、通常の丁番を用いることができる。
【００１０】
扉体の室外側面部の戸尻側端部は、当該扉体の室内側面部の戸尻側端部よりも戸尻側縦枠側に延出しており、可動カバーの室外側見付面は、前記凹部の室外側部位を構成する扉体の室外側面部の戸尻側端部の内側に納まっているものでは、室外側に可動カバーの室外側見付面及び見込面が露出することがなく、可動カバーを介して防犯上不利な隙間を生じさせることがなく、カバー装着部位における室外側からのこじ開けを防止し、防犯上有利である。また、前記凹部は扉体の全高に亘って延出しており、前記可動カバーの上下に位置して固定カバーが装着されており、固定カバーには扉体を回動させるための丁番が装着されるものでは、扉体の戸尻側部位に可動部を設けて指詰めを防止するものでありながら、簡単な構成で開き戸としての機能を担保することができる。また、上述のように丁番は通常の丁番でよい。
【発明を実施するための最良の形態】
【００１１】
図１に示すように、扉装置は、建物開口部を形成する枠体と、建物開口部を開閉するように枠体に設けられた扉体１、とからなる。枠体は、上枠２、下枠３、戸先側縦枠４、戸尻側縦枠５、からなる方形状の四周枠である。扉体１は、正面視縦長方形状の室外側面部１０及び室内側面部１１を備えており、戸尻側部位（吊元側部位）を丁番６を介して枠体の戸尻側縦枠５に対して回動自在に装着されている。扉体１の室外側面部１０及び室内側面部１１には、戸先側に近接して、扉体１の高さの略中央部位に位置して取手７が設けられる。
【００１２】
扉体１の戸尻側端部は高さ方向に延出する凹部が形成されており、凹部に対してカバー８が装着される。扉体１は、四周状のフレームを備えており、扉体１の戸尻側端部の凹部は、扉体１の戸尻側において高さ方向に延出するフレーム９から構成されている。カバー８は扉体１の高さ方向に延出する部材であって、室外側面部１０に沿って延出する室外側見付面８０と、室内側面部１１に沿って延出する室内側見付面８１と、扉体１の厚さ方向に延出する見込面８２と、から断面視略コ字状に形成されている。一つの態様では、カバーは薄肉の金属製板材からなり、ある程度の弾性を備えている。室内側見付面８１と見込面８２とで形成される角部８３は、誤って指が接触したり挟まれたりした場合を考慮して、湾曲面に形成されている。
【００１３】
一つの態様では、カバー８は、３つのカバー８Ａ，８Ｂ，８Ｃから構成されている（図５参照）。カバー８Ｂは、図１の高さＨに対応する部位に装着されており、カバー８Ａ，８Ｃは、カバー８Ｂの上下に位置して、ヒンジ６に対応する部位に装着される。高さＨは、扉体１の閉鎖時に指を挟む可能性がある高さを含む領域である。
【００１４】
カバー８Ｂは、バネ材１２を介してフレーム９に装着された可動カバーであり、カバー８Ａ，８Ｃは固定部材１３を介してフレーム９に装着されている固定カバーである。フレーム９に対して装着されるカバー８の見込面８２が扉体１の戸尻側端面を形成する。３つのカバー８Ａ，８Ｂ，８Ｃの見込面８２は、通常時、すなわち、カバー８Ｂにいかなる外力も作用していない時には、面一となっている。
【００１５】
フレーム９は、室外側面部１０に沿って延出する室外側見付面９０と、室内側面部１１に沿って延出する室内側見付面９１と、扉体１の厚さ方向に延出する見込面９２と、から断面視略コ字状に形成されている。室外側見付面９０は室内側見付面９１よりも大きい寸法を備えている。フレーム９の見込面９２が凹部の底となっている。
【００１６】
ここで、扉体１の室外側面部１０はフレームに張設された表面材１００から、扉体１の室内側面部１１はフレームに張設された表面材１１０から、それぞれ形成されており、表面材１００，１１０の扉体幅方向の戸尻側端部は、それぞれ、室外側見付面９０、室内側見付面９１の周囲を被覆するように折り返し密着させてある。
【００１７】
バネ材１２は、1枚の板体を、２つの面部が対向するように湾曲させて形成された板バネであり、対向状の第１面部１２０、第２面部１２１と、これらを接続する湾曲状の接続部１２２を備えている。外力が作用していない状態では、第１面部１２０、第２面部１２１は所定の間隔を維持しており、この間隔を狭める方向の力が作用すると、第１面部１２０、第２面部１２１は接近する方向に変形する。そして外力が取り除かれると、第１面部１２０、第２面部１２１は所定の間隔まで復帰する。
【００１８】
カバー８Ｂは、バネ材１２を介してフレーム９に装着されており、フレーム９から形成される凹部に対して、凹部の底に向かって退避可能に支持されている。フレーム９の見込面９２には、バネ材１２の第１面部１２０が螺子１４を用いて取り付けられる。そして、バネ材１２の第２面部１２１には、カバー８の見込面８２が螺子１５を用いて取り付けられる。
【００１９】
カバー８Ａ，８Ｃが装着される固定部材１３は断面視コ字状で剛性を備えた部材である。図７に示すように、固定部材１３はカバー８Ａ，８Ｃの見込面８２に内側から当てる板部１３Ａを備えており、丁番６の一方の板部は、固定部材１３に裏当てされたカバー８Ａ，８Ｃ対して図示しない螺子で固定され、丁番６の他方の板部は、第２見込面５３に装着された固定部材１７に対して図示しない螺子で固定される。
【００２０】
カバー８の見込寸法は、フレーム９から形成された凹部の見込寸法と略同じであり、通常時（バネ材１２に外力が作用していない状態）には、カバー８の室外側見付面８０の外面がフレーム９の室外側見付面９０の内面（図示の例では、折り曲げられた表面材１００を介して）に接触しており、カバー８の室内側見付面８１の外面がフレーム９の室内側見付面の内面９１（図示の例では、折り曲げられた表面材１１０を介して）に接触している。通常時において、カバー８の室外側見付面８０は凹部内に納まっており、カバー８の室内側見付面８１は凹部から突出している。
【００２１】
戸尻側縦枠５は、室外側見付面５０と、室内側見付面５１と、を備え、戸尻側縦枠５の室内側見付面５１は室外側見付面５０よりも大きい寸法を備えている。戸尻側縦枠５の見込壁は、室内側に位置する第１見込面５２と、閉鎖時に扉体１の戸尻側端面（カバー８の見込面８２）に対向する第２見込面５３と、を備えている。第２見込面５３は、室外側見付面５０から第１見込面５２の外方（開口部から離間する方向）に位置して見込方向に延出しており、閉鎖時に扉体１の戸尻側端面（カバー８の見込面８２）に対向する第１部分５３Ａと、第１部分５３Ａの室内側に位置する第２部分５３Ｂと、を備えている。
【００２２】
第１見込面５２は、室内側見付面５１から扉体１に向かって（室外側に向かって）見込方向に延出するが、第１見込面５２の延出寸法は、閉鎖時に、第１見込面５２の室外側の先端５２Ａと扉体１の室内側面部１１（図示の例ではフレーム９の室内側見付面９１）との間には指挟み防止用の隙間Ｇ１が形成されるような寸法となっている。隙間Ｇ１の具体的な寸法は、人間の指のサイズから適宜設定され得る。
【００２３】
また、扉体１の室内側面部１１の戸尻側端部（図示の例ではフレーム９の室内側見付面９１の端部９１Ａ）を、第１見込面５２の先端５２Ａの延長線上まで延出させることで、通常時に室内側面部１１の戸尻側端部に対して突出しているカバー８の室内側見付面８１の部分が室内側から目立たないようにしている。また、扉体１の室内側面部１１の戸尻側端部（図示の例ではフレーム９の室内側見付面９１の端部９１Ａ）が第１見込面５２の先端５２Ａの延長線上までしか延出していないため、扉体１を閉鎖する時に誤って指を挟んだ場合でも、図３に示すように、指は退避可能なカバー８Ｂに接触して、扉体１の室内側面部１１の戸尻側端部（図示の例ではフレーム９の室内側見付面９１の端部９１Ａ）に接触することはない。扉体１の室外側面部１０の戸尻側端部（図示の例ではフレーム９の室外側見付面９０の端部９０Ａ）は通常時にはカバー８の見込面８２と面一となっている。カバー８Ｂの室外側見付面８０は常に凹部内、すなわち、扉体１の室外側面部１０の戸尻側端部（図示の例ではフレーム９の室外側見付面９０の端部９０Ａ）より内側に納まっており、凹部から突出することがない。扉体１の閉鎖状態において、フレーム９の室外側見付面９０が室内側見付面９１に比べて戸尻側縦枠５側に延出し、端部９０Ａと室外側見付面５０の扉体側先端との間にバール等の差し込みを困難にする小さい隙間Ｓ１（図２参照）を形成することで、カバー装着部位におけるこじ開けを防止しており、防犯上有利である。
【００２４】
第１見込面５２は、扉体１の戸尻側端面が第１見込面５２と第２見込面５３の間に位置するように第２見込面５３に対して偏倚して延出している。第２見込面５３の第２部分５３Ｂは、第１見込面５２の先端部位５２Ｂと対向するように延出しており、第１見込面５２と第２見込面５３の第２部分５３Ｂは、底片５４によって連結されており、第１見込面５２の先端部位５２Ｂと、第２見込面５３の第２部分５３Ｂと、底片５４と、から、気密部材１６を嵌め込むための凹溝が形成されている。当該凹溝に設けた気密部材１６は、閉鎖時に扉体１（カバー８の室内側見付面８１）に接触して隙間Ｇ１を塞いでいる。より具体的には、扉体１の戸尻側端部に装着されたカバー８の室内側見付面８１は、凹部を形成する扉体１の室内側面部１１の戸尻側端部（図示の例ではフレーム９の室内側見付面９１の端部９１Ａ）から突出しており、気密部材１６は当該突出したカバー８の室内側見付面８１に接触する。
【００２５】
カバー８Ｂを、バネ材１２を介して扉体１の戸尻側端部の凹部に装着したことで、扉体１の戸尻側端面（カバー８Ｂの見込面８２）と戸尻側縦枠５の第２見込面５３（第１部分５３Ａ）の隙間Ｇ２の寸法は可変となっている。
【００２６】
図２に示すように、通常の扉体閉鎖時では、カバー８Ｂの見込面８２と戸尻側縦枠５の第２見込面５３（第１部分５３Ａ）とは対向しており、この時の隙間Ｇ２は最小寸法である。カバー８Ｂの見込面８２は、隙間Ｇ２を拡大する方向にバネ材１２を介して退避可能に支持されており、図３に示すように、扉体１を閉鎖する時に誤って指が挟まれた場合には、カバー８Ｂの見込面８２が凹部の底側（フレーム９の見込面９２側）に退避して逃げていく。
【００２７】
より具体的に説明する。扉体１が閉じる時に指が挟まれる時には、隙間Ｇ１と隙間Ｇ２の間に位置して、可動カバー８Ｂの角部８３ないし角部８３近傍部位と、角部８３に離間対向する気密部材１６の部分と、の間に指が挟まれることになる。挟まれた指に接触する角部８３を構成する可動カバー８Ｂは、凹部底側に退避可能に弾性支持されているため、指を挟んだ状態で扉体１が閉じる方向に回動しても、角部８３（指に力が作用する点）が凹部底側に退避して逃げていくため、挟まれた指（関節）の方向に拠らず、挟まった指に作用する力を緩和することができる。特に、指が深く挟まれた場合には、第１見込面５２の先端５２Ａと角部８３との２つの点で指に力が作用するが、一方の作用点である角部８３が凹部底側に退避して逃げていくため、第１見込面５２の先端５２Ａにおいて指に作用する力を緩和することができる。
【００２８】
さらに、図４に示すように、扉体１が閉鎖状態となっても、退避したカバー８Ｂの見込面８２と戸尻側縦枠５の第２見込面５３（第１部分５３Ａ）の間には、拡大された隙間Ｇ２が得られるため、隙間Ｇ２が指挟み防止用の隙間として機能する。尚、図示の例では、隙間Ｇ２は拡大される前の状態（図２）でも指先を痛めない程度の間隔を備えているが、可動カバー８Ｂの見込面８２が凹部底側に退避可能である構成は、上述のように扉体１を閉鎖する時に挟まった指に作用する力を緩和するという点においても重要である。
【００２９】
このように、第１見込面５２の先端５２Ａと扉体１の間には指挟み防止用の隙間Ｇ１が形成されており、可動カバー８Ｂの見込面８２と第２見込面５３との間に指挟み防止用の隙間Ｇ２が形成されており、扉体１が閉じる時には可動カバーの角部８３（指に力が作用する点）が凹部底側に退避可能であるので、指を挟んだ状態で扉体１が閉鎖方向に回動し、そして閉鎖状態となっても、挟まれた指にかかる力が緩和され、指を痛めることがない。
【００３０】
図８は、他の実施形態を示す図であり、既述の実施形態における図２に対応している。既述の実施形態と同一の構成要素には同一の参照番号が付してあり、同一の参照番号が付された要素については既述の記載を援用することができる。図７に示す実施形態の扉体１の戸尻側端部の構成は既述の実施形態と同じであり、扉体１の戸尻側端部（特に、可動カバー８Ｂ）の構成・作用効果については既述の記載を援用することができる。
【００３１】
ドア枠の戸尻側縦枠５の見込壁は、室内側に位置する第１見込面５２と、閉鎖時にカバー８Ｂの見込面８２（扉体１の戸尻側端面）に対向する第２見込面１８と、を備えており、第１見込面５２は、カバー８Ｂの見込面８２が第１見込面５２と第２見込面１８の間に位置するように第２見込面１８に対して偏倚して延出しており、第１見込面５２の先端５２Ａと扉体１の室内側面部１１との間には指挟み防止用の隙間Ｇ１が形成されている。第１見込面５２の先端側部位５２Ｂと第２見込面１８の室内側部分５３Ｂと底片５４の間に形成された空間には、閉鎖時に扉体１に接触して隙間Ｇ１を塞ぐ変形可能な気密部材１６が設けてある。
【００３２】
戸尻側縦枠５の第２見込面１８の少なくとも高さ方向の所定部位を、扉体１の戸尻側端面１７と第２見込面１８との間隔を拡大する方向にバネ材１２を介して退避可能に支持することで、カバー８Ｂの見込面８２と第２見込面１８との間に指挟み防止用の隙間Ｇ２が形成されている。
【００３３】
より具体的には、戸尻側縦枠５は、第２見込面１８に対して平行して延出する第３見込面５５を備えており、カバー８Ｂの見込面８２に対向する第２見込面１８は、第３見込面５５に対して装着されるカバーの見込面から形成される。カバーは、既述の実施形態のカバー８と同様に、３つのカバーから構成されている。カバー１８Ｂは、図１の高さＨに対応する部位に装着されており、カバー１８Ｂの上下に位置して、ヒンジ６に対応する部位に２つのカバーが装着される。第３見込面５５には、バネ材１２の第１面部１２０が螺子１４を用いて取り付けられる。そして、バネ材１２の第２面部１２１には、第２見込面１８（カバー１８Ｂの見込面）が螺子１５を用いて取り付けられる。
【００３４】
図８は図２と類似の図であり、扉体閉鎖時における通常時では、カバー８Ｂの見込面８２と戸尻側縦枠５の第２見込面１８（カバー１８Ｂの見込面）とは対向しており、この時の隙間Ｇ２は最小寸法である。カバー１８Ｂの見込面、すなわち第２見込面１８、及びカバー８Ｂの見込面８２は、共に、隙間Ｇ２を拡大する方向にバネ材１２を介して退避可能に支持されており、扉体１を閉鎖する時に誤って指が挟まれた場合には、カバー８Ｂの見込面８２が凹部の底側に退避して逃げていく。さらに、扉体１が閉鎖状態となっても、退避したカバー１８Ｂの見込面とカバー８Ｂの見込面８２との間には、拡大された隙間Ｇ２が得られるため、隙間Ｇ２が指挟み防止用の隙間として機能する。
【図面の簡単な説明】
【００３５】
【図１】扉装置を室外側から見た正面図である。
【図２】第１実施形態の指詰め防止構造を備えた扉装置の戸尻側部位の横断面図であり、扉体の閉鎖状態を示す。
【図３】第１実施形態の指詰め防止構造を備えた扉装置の戸尻側部位の横断面図であり、扉体を閉鎖する時に指が挟まれた状態を示す。
【図４】第１実施形態の指詰め防止構造を備えた扉装置の戸尻側部位の横断面図であり、図３の状態からさらに扉体が閉鎖された状態を示す。
【図５】第１実施形態のカバーの構成および取付構造を説明する図である。
【図６】第１実施形態のバネ材の構成及び取付構造を説明する図である。
【図７】図２に類似する図であって、図２が可動カバーの横断面を示しているのに対して、図７は固定カバーの横断面示している。
【図８】第２実施形態の指詰め防止構造を備えた扉装置の戸尻側部位の横断面図であり、扉体の閉鎖状態を示す。
【符号の説明】
【００３６】
１  扉体
５  戸尻側縦枠
５２  第１見込面
５３  第２見込面
８  カバー
８２  カバー８の見込面（扉体の戸尻側端面）
８３  角部
９  フレーム
１１  室内側面部
１２  バネ材
１８  第２見込面（カバー１８Ｂの見込面）
Ｇ１  隙間
Ｇ２  隙間
【図１】
0005086722.tif 000002
【図２】
0005086722.tif 000003
【図３】
0005086722.tif 000004
【図４】
0005086722.tif 000005
【図５】
0005086722.tif 000006
【図６】
0005086722.tif 000007
【図７】
0005086722.tif 000008
【図８】
0005086722.tif 000009